(57)【要約】【課題】  リモコン本体を紛失しないように不使用時に保管できること、壁の損傷を防止できること、リモコン本体の収納場所で壁スイッチを容易に操作できることは勿論のこと、リモコン本体の着脱時にホルダが破損しにくいリモートコントロール装置を提供する。【解決手段】  この装置はワイヤレスのリモコン本体１４とリモコン本体１４を着脱可能に収納するホルダ１５とを含み、ホルダ１５が、壁面に設けられた壁スイッチ１１のカバープレート取付けネジ穴１２ａを利用して固定可能である。ホルダ１５のフロントプレート１５ｄとバックプレート１５ａには、壁スイッチ１１のスイッチ部分１２ｂを前面から操作するための開口１５ｃ，１５ｅが設けられており、リモコン本体１４には、これをホルダ１５に収納した状態で壁スイッチ１１のスイッチ部分１２ｂを前面から操作するための開口１４ａが設けられている。【選択図】  図１
2007036849.tif 000002
【特許請求の範囲】
【請求項１】
ワイヤレスのリモコン本体と、該リモコン本体を着脱可能に収納するホルダとを含み、該ホルダが、壁面に設けられた壁スイッチの取付けネジ穴を利用して固定可能であるリモートコントロール装置において、
前記ホルダにおけるリモコン本体収納部分の背面部には、前記壁スイッチのスイッチ部分を前面から操作するための開口が設けられており、
前記リモコン本体には、該リモコン本体を前記ホルダに収納した状態で前記壁スイッチのスイッチ部分を前面から操作するための開口が設けられていることを特徴とするリモートコントロール装置。
【請求項２】
前記ホルダには前記壁スイッチに固定するためのネジを挿入する貫通穴が、前記壁スイッチのスイッチ部分を挟んで対称な位置に設けられている、請求項１に記載のリモートコントロール装置。
【発明の詳細な説明】
【技術分野】
【０００１】
本発明は、ワイヤレスで照明器具の明るさやオン／オフ等を切り替えられるように、照明器具の付属品又は別売品として用意されるリモートコントロール装置に関する。
【背景技術】
【０００２】
従来、この種のリモートコントロール装置は、図２に示すように、リモートコントロール装置本体（以下、リモコン本体と呼ぶ）２１と、これを着脱可能に収納するホルダ２２からなり、ホルダ２２が部屋の壁にネジ２３で固定できるようになっている。また、ホルダ２２は正面に開口を有し、収納したままでもリモコン本体を操作可能に構成されている。
【０００３】
しかし、このような壁にネジでホルダを固定することは壁に穴が開くため、非常に嫌がる使用者が多い。また、家屋によっては壁が石膏ボードで形成されている場合があり、その場合は壁がもろいため、ネジでホルダを固定することができない。一方、壁にホルダを固定できない場合、リモコン本体を使用後にホルダに保管できないので、リモコン本体を紛失してしまうことが多かった。
【０００４】
また、上述したリモートコントロール装置は、図３に示すような壁スイッチ３１で照明器具の主電源を入れることで使用可能になる。ところが、従来のホルダは壁スイッチとは別の位置に取り付けられているため、リモコン本体を収納するホルダーの場所で照明器具の主電源を入れたり切ったりすることができない。このため、リモコン本体を使用したいとき、壁スイッチを入れてからホルダの位置まで移動しなくてはならず、また、リモコン本体をホルダに収納した後に主電源を切るときは壁スイッチまで移動しなくてはならず、面倒であった。
【０００５】
このような装置に対し、特許文献１に開示されたリモートコントロール装置が提案されている。この文献に記載のリモートコントロール装置では、図４に示すように、リモコン本体４１を収納可能なケース４２が、壁スイッチのカバープレートを取り付けるネジ穴を利用してネジ４３で取り付け可能になっている。このため、リモコン本体の保管場所が明確になるとともに、壁の損傷も防止できるという。さらに、リモコン本体を収納する場所で照明器具の主電源を入れたり切ったりすることが可能である。
【特許文献１】実公開５−６００７３号公報（図１）
【発明の開示】
【発明が解決しようとする課題】
【０００６】
特許文献１に開示された装置のように、リモコン本体を収納するケースを壁スイッチに取り付ける構成は、リモコン本体をケース内に収納した際にリモコン本体によってスイッチ部が隠れないようにしなければならない。特許文献１に開示された装置の場合は、図４に示すように、壁スイッチのカバープレート取付け用ネジ穴を利用して取り付けられるケース取付け部４２ａより下側に十分離れた位置に、リモコン本体の収納部分４２ｂを形成することで、この収納部分４２ｂに収納されたリモコン本体４１によってスイッチ部４４が隠れないようにしている。
【０００７】
しかしながら、特許文献１に開示された装置の構成では、リモコン収納部分４２ｂの背面部がケース取付け部４２ａより下側に離れていてどこにも固定されていないため、リモコン収納部分４２ｂに対するリモコン本体４１の着脱時にリモコン収納部分４２ｂがネジ４３の位置を支点に壁面から浮くように可動しやすく、ケースが破損しやすい。
【０００８】
そこで、本発明は、上述した実状に鑑みてなされたものであって、その目的とするところは、リモコン本体を紛失しないように不使用時に保管できること、壁の損傷を防止できること、リモコン本体の収納場所で壁スイッチを容易に操作できることは勿論のこと、リモコン本体の着脱時にホルダが破損しにくいリモートコントロール装置を提供することにある。
【課題を解決するための手段】
【０００９】
上記目的を達成するために、本発明は、ワイヤレスのリモコン本体と、該リモコン本体を着脱可能に収納するホルダとを含み、該ホルダが、壁面に設けられた壁スイッチの取付けネジ穴を利用して固定可能であるリモートコントロール装置において、前記ホルダにおけるリモコン本体収納部分の背面部には、前記壁スイッチのスイッチ部分を前面から操作するための開口が設けられている。さらに、前記リモコン本体には、該リモコン本体を前記ホルダに収納した状態で前記壁スイッチのスイッチ部分を前面から操作するための開口が設けられている。
【００１０】
上記のとおりの構成では、従来と同様、壁スイッチの取付けネジ穴を利用してホルダを固定することにより、壁の損傷が防止でき、リモコン本体の保管場所も明確になる。さらに、リモコン本体を収納する場所で照明器具の主電源を入れたり切ったりすることが可能である。
【００１１】
その上、ホルダにおけるリモコン本体収納部分の背面部に壁スイッチのスイッチ部分を操作可能にする開口を設け、リモコン本体にも、これをホルダに収納した状態でスイッチ部分を操作可能にする開口を設けているため、ホルダにリモコン本体を収納した際、壁スイッチのスイッチ部分がリモコン本体で隠れることなく、ホルダにリモコン本体を収納した状態で壁スイッチのスイッチ部分を自由に操作することが可能である。また、本構成では、ホルダにおけるリモコン本体収納部分の背面部が壁スイッチへの取付け固定部になっているため、ホルダに対するリモコン本体の着脱時にホルダが壁面から浮くように可動せず破損しにくい。
【発明の効果】
【００１２】
以上のように本発明によれば、リモコン本体を紛失しないように不使用時に保管できること、壁の損傷を防止できること、リモコン本体の収納場所で壁スイッチを容易に操作できることは勿論のこと、リモコン本体の着脱時にホルダが破損しにくいリモートコントロール装置を提供することができる。
【発明を実施するための最良の形態】
【００１３】
以下、本発明の実施の形態について図面を参照して説明する。
【００１４】
図１は本発明の実施形態によるリモートコントロール装置の分解斜視図を示す。この図において、部屋の壁面に設置された壁スイッチ１１は、壁面に埋め込まれたスイッチボックス１２と、このスイッチボックス１２の正面を覆うカバープレート１３とからなる。スイッチボックス１２には、カバープレート１３をネジで取り付けるためのネジ穴１２ａが少なくとも２箇所に設けられている。ネジ穴１２ａはスイッチ部分１２ｂを挟んで対称な位置に設けられている。カバープレート１３には、スイッチボックス１２のネジ穴１２ａの位置に対応する貫通穴１３ａと、スイッチボックス１２のスイッチ部分１２ｂを露出させる開口１３ｂとが形成されている。
【００１５】
このような壁スイッチ１１に、ワイヤレスのリモコン本体１４を着脱自在に収納するホルダ１５が取付け可能になっている。ホルダー１５のバックプレート１５ａには、スイッチボックス１２のネジ穴１２ａの位置に対応する貫通穴１５ｂと、スイッチボックス１２のスイッチ部分１２ｂを露出させる開口１５ｃとが形成されている。したがって、ネジ１６をホルダー１５のバックプレート１５ａの貫通穴１５ｂと壁スイッチ１１のカバープレート１３の貫通穴１３ａに挿入して、スイッチボックス１２のネジ穴１２ａに締結させることにより、ホルダ１５がバックプレート１５ａの開口１５ｃよりスイッチ部分１２ｂを露出した状態で壁スイッチ１１に固定される。
【００１６】
リモコン本体１４には、これをホルダ１５に収納した状態でスイッチ部分１２ｂを前面から操作するための開口１４ａが設けられている。このため、ホルダ１５のフロントプレート１５ｄには、ホルダ１５に収納されたリモコン本体１４の開口１４ａに位置されるスイッチ部分１２ｂを操作しやすいように、大きな開口１５ｅが形成されている。もっとも、フロントプレート１５ｄの開口１５ｅは、ホルダ１５にリモコン本体１４を収納したままでリモコン本体１４の前面の表示部を見たりスイッチ類を操作できる形状になっている。
【００１７】
以上のような本実施形態によれば、従来と同様、壁スイッチ１１のカバープレート１３の取付けネジ穴１２ａを利用してホルダ１５を固定するため、壁の損傷が防止でき、リモコン本体１４の保管場所も明確になる。さらに、リモコン本体１４を収納する場所で照明器具の主電源を入れたり切ったりすることが可能である。
【００１８】
その上、壁スイッチ１１に取り付けたホルダ１５のバックプレート１５ａとフロントプレート１５ｄに壁スイッチ１１のスイッチ部分１２ｂを露出させる開口１５ｃ，１５ｅを設け、リモコン本体１４にも、これをホルダ１５に収納した状態でスイッチ部分１２ｂを操作可能にする開口１４ａを設けているため、ホルダ１５にリモコン本体１４を収納した際、壁スイッチ１１のスイッチ部分１２ｂがリモコン本体１４で隠れることなく、ホルダ１５にリモコン本体１４を収納した状態で壁スイッチ１１のスイッチ部分１２ｂを自由に操作することができる。また、本構成では、リモコン収納部分であるホルダ１５の背面部をなすバックプレート１５ａを壁スイッチ１１に直接固定できるため、ホルダ１５に対するリモコン本体１４の着脱時にホルダ１５が可動せず破損しにくい。
【００１９】
なお、本実施形態では、ホルダ１５の形状が、リモコン本体１４の収納空間を形成するようなケース形状になっているが、リモコン本体１４の両側部及び下端部などと係合するような爪形状からなるものでもよい。
【図面の簡単な説明】
【００２０】
【図１】本発明の実施形態によるリモートコントロール装置を説明するための分解斜視図である。
【図２】従来のリモートコントロール装置の構成部品を示す斜視図である。
【図３】壁スイッチを示す斜視図である。
【図４】特許文献１に開示されたリモートコントロール装置を示す斜視図である。
【符号の説明】
【００２１】
１１    壁スイッチ
１２    スイッチボックス
１２ａ    ネジ穴
１２ｂ    スイッチ部分
１３    カバープレート
１３ａ    貫通穴
１３ｂ    開口
１４    リモコン本体
１４ａ    開口
１５    ホルダ
１５ａ    バックプレート
１５ｂ    貫通穴
１５ｃ，１５ｅ    開口
１５ｄ    フロントプレート
１６    ネジ
【図１】
2007036849.tif 000003
【図２】
2007036849.tif 000004
【図３】
2007036849.tif 000005
【図４】
2007036849.tif 000006